(57)【特許請求の範囲】
【請求項１】
製薬又は食品製造工程のサニタリー配管中に配備されるブリーザーバルブであって、
凹凸の無い平坦な箱体からなる弁ケース（１０ａ）と、
流入口（１）と流出口（２）とを備えた底板（１０ｂ）と、
を着脱自在にフランジ嵌合されてなる弁本体（１０）と、
前記弁本体（１０）の弁室（６）に、
前記流入口（１）から上向きに開口された弁口（３）と、
前記弁口（３）に上方より抜き差し自由に自重で嵌置されて前記弁口（３）を閉止し
且つ設定圧力を越えると自重に打勝って開弁する逆止弁機能をもつ弁体（５）と、を設け、
前記弁体（５）は、前記弁口（３）と略同形の嵌合部をもつと共に、
弁棒その他の機械的運動機構を有しないこと
を特徴とするサニタリー用ブリーザーバルブ。
【請求項２】
前記弁口（３）に自重で嵌置された前記弁体（５）は、
傘状に張り出した鍔部（５ａ）と、
その下面に突設された円筒体（５ｂ）とで構成され、
前記円筒体（５ｂ）の周側面には、
円周等間隔に下端より鍔部座面に達するように縦溝（５ｃ）が形成される
ことを特徴とする請求項１記載のサニタリー用ブリーザーバルブ。
【発明の詳細な説明】
【０００１】
【発明の属する技術分野】
本発明は、製薬及び食品製造工程で使用されるサニタリー用のブリーザーバルブに関するものである。
【０００２】
【従来の技術】
製薬工場、その他サニタリーの分野で使用する高純度の、用水、例えば注射用水を製造する装置では各工程パイプラインの配管中に数種の逆止弁、乃至は逆止弁の機能を備えたブリーザーバルブが用いられる。従来、このような弁としては弁本体に一端部と他端部に流入口と、流出口を設け、中間の弁室に閉弁方向にばねを附勢した弁体を設けて、この弁体により弁口を開閉するものが知られている。
【０００３】
【発明が解決しようとする課題】
しかし、上記した従来の弁構造では、弁体が弁棒とその支持部による摺動機構の他に、ばね等の機械的構成部を有する上に、流入口と流出口の中間の弁室が流入出口より大径に形成されるために、弁室内に大きな段差や窪みが形成され、又小さな凹凸や隙間も保有するためこれらに残液等が滞溜して除去され難いといった問題点を有していた。
【０００４】
特にサニタリーの分野では雑菌や不純物の混入防止を完全にしなければならないが、分解して清掃し又滅菌作業を行う場合も多大の困難を伴うという問題点を有していた。さらに従来の減圧弁で、ダイヤフラムや制御リレー等を用いるものでは、減圧後の圧力を正確に一定に保つまでに時間を要し、而も機構が複雑でコストの面でも問題があった。
【０００５】
本発明は、上記した従来の問題点に鑑みてなされたものであり、その目的とするところは、減圧及び減圧後の圧力を一定に保つまでの時間、反応が早く、正確であり、又、弁ばねや、弁体の摺動及び支持機構からなる機械的運動部分を無くすとともに、弁室内に段差や窪み、凹凸等残液が滞溜し難い構成とすることによって極力不純物等の混入が避けられるようにし、而も分解して清掃及び滅菌、消毒等の作業を迅速且つ容易に行うことを可能にして前述の問題点を解消するものである。
【０００６】
【課題を解決するための手段】
上記課題を解決するために、本発明におけるサニタリー用ブリーザーバルブは、製薬又は食品製造工程のサニタリー配管中に配備されるブリーザーバルブである。そして、凹凸の無い平坦な箱体からなる弁ケースと、流入口と流出口を備えた底板とを着脱自在にフランジ嵌合されてなる弁本体とを備える。さらに、その弁室に、流入口から上向きに開口された弁口と、この弁口に上方より抜き差し自由に自重で嵌置されて弁口を閉止し且つ設定圧力を越えると自重に打勝って開弁する逆止弁機能をもつ弁体とを備える。この弁体は、弁口と略同形の嵌合部をもつと共に、弁棒を有しないことを特徴とする。
【０００７】
また、前記弁口に自重で嵌置された弁体を、傘状に張り出した鍔部とその下面に突設された円筒体とで構成し、円筒体の周側面に円周等間隔に下端より鍔部座面に達するように縦溝を形成することが好ましい。
【０００８】
【発明の実施の形態】
空気ポンプにより圧送される空気圧により液槽内の水面上部の空間は高気圧になり、所定の値に高められる。液槽内の空気圧力は分岐管を通してブリーザーバルブの流入口にも作用しており、そのため槽内の気圧が所定値以上に高められると、弁体は自重に抗して押上げられる。弁体の押し上げにより弁口が開いて空気圧を逃がすため、構内は瞬時に減圧される。減圧後は弁体が自重で降下して閉止し且つ逆流も阻止するため液槽内は水面の高さが上下の変化に関係なく常に一定に保持される。
【０００９】
【実施例】
以下、添付図面に従って一実施例を説明する。図３は、製剤機用調製槽のは配管設備に本ブリーザーバルブを実施した場合が示されている。同図において、１２は密閉した立型のタンクからなる液槽で、底部に攪拌装置１８を備え、上部に用水流入口１５と原薬注入口１９及び空気圧を高めるための空気導入口１７を有している。用水に原薬を注入し攪拌装置で混合攪拌して得られた注射製剤液を底部取出口１６から取出すものであるが、空気ポンプ１１により配管１３を通してタンク内に空気を送り込んで高圧にすることにより製剤液の取出しを円滑に行えるようにしている。
【００１０】
本発明のブリーザーバルブは上記配管１３の途中から分岐した分岐管１４に設けられる。図１はこのブリーザーバルブの構成を示している。同図に示すように、流入口１と流出口２を備えた弁本体１０に、上向きに開口した弁口３と、この弁口に嵌置され自重で弁口を閉止する弁体５を設けたものからなる。弁体５は、図３に示すように、傘状に張り出した鍔部５ａとその下面に突設された円筒体５ｂとよりなり、円筒体５ｂの周側面に円周等間隔に下端より鍔部座面に達するように縦溝５ｃを形成したものからなる。縦溝５ｃは全周で８本程度設けるが、さらに溝巾を細く、又は大きくして増減することもできる。このような弁体５は質量の大きい、好ましくはステンレス又は同様の金属でつくり、円筒部５ｂを弁口３に上方より嵌置すると、自重で鍔部５ａ下面の座面が弁座部４に圧着して弁口３が閉止される。弁座部４に対してはＯリングからなる弾性シール７を弁体側の座面に形成した凹溝８に取付けて閉止時の気密性を高めている。
【００１１】
弁本体１０は弁ケース１０ａと、その開放した底面部に着脱自在にフランジ嵌合された底板１０ｂにとよりなり、底板１０ｂに流入口１と流出口２を一体的に取付けている。従って底板１０ｂを取外すと弁ケース１０ａは凹凸のない平坦な箱体のみとなり、従って分解が容易で、而も内部を洗浄するのに至便となる。
【００１２】
【発明の効果】
本発明は、上記のように構成されているので、上向きに開口した弁口に対して抜き差し自由に自重で弁体を嵌置し、圧力が高められて所定の設定値を越えると、その圧力に押されて開弁することにより圧力を逃がして瞬時に減圧するものであり、弁の開閉の反応が迅速で作動が正確であり、而も減圧後は、弁体の自重による閉弁が保持されて流体の流通で逆流を阻止して逆止弁としての機能も完全である。又本発明においては、弁ばねや、ピン、弁棒、及びスライド軸受け等の機械的運動機構を有せず、弁ケース内部にも凹凸や窪み、隙間等を保有しないので、不純物が窪み等に溜まる心配がなく、而も分解して清掃する場合にも楽に行うことができる。又構成が簡単で、部品点数も少ない為、コストの点でも有利である。
【図面の簡単な説明】
【図１】（イ）は本発明ブリーザーバルブの縦断正面図、（ロ）は、同上の底面図である。
【図２】（イ）は弁体の拡大断面図、（ロ）は同図におけるＡ−Ａ線の断面図である。
【図３】本発明を注射製剤機の調製槽に利用した場合の実施例を示す配管図である。
【符号の説明】
１      流入口
２      流出口
３      弁口
４      弁座部
５      弁体
６      弁室
１０    弁本体
１２    液槽
１３    配管
１４    分岐管
【図１】
0004392101.tif 000002
【図２】
0004392101.tif 000003
【図３】
0004392101.tif 000004